(57)【特許請求の範囲】
【請求項１】
第１ケースと、第２ケースと、前記第１ケースおよび前記第２ケースによって囲われた内部に配置された第３ケースとを有し、この第３ケースに部品を収納する収納部が前記第２ケースの開口部から外部に開放された状態で設けられ、この開放された前記収納部を蓋体が開閉可能に塞ぐ防滴構造において、
前記蓋体の周縁部と前記第２ケースの前記開口部の周縁部とが接近し合う第１接近部は、前記蓋体が前記開口部を塞いだ際に、第１防滴部材によって気密され、
前記第３ケースの前記収納部の周縁部と前記第２ケースの前記開口部の周縁部とが接近し合う第２接近部は、第２防滴部材によって密閉され、
前記第３ケースと前記第１ケースとの間には、メモリカードを搭載するカード装着部が、前記収納部の底部に対応して設けられており、前記収納部の底部には、前記メモリカードが挿入するカード挿入孔が、前記カード装着部に対応して設けられており、このカード挿入孔には、カード蓋が着脱可能に取り付けられ、
前記カード挿入孔に対する前記カード蓋の取付部分には、防滴部が設けられており、この防滴部は、前記カード蓋の周囲に沿って設けられて前記カード挿入孔の内周面に対面する凹溝と、この凹溝内に配置されて前記カード挿入孔の内周面に圧接するカード蓋パッキンとを有している
ことを特徴とする防滴構造。
【請求項２】
第１ケースと、第２ケースと、前記第１ケースおよび前記第２ケースによって囲われた内部に配置された第３ケースとを有し、この第３ケースに部品を収納する収納部が前記第２ケースの開口部から外部に開放された状態で設けられ、この開放された前記収納部を蓋体が開閉可能に塞ぐ防滴構造において、
前記蓋体の周縁部と前記第２ケースの前記開口部の周縁部とが接近し合う第１接近部は、前記蓋体が前記開口部を塞いだ際に、第１防滴部材によって気密され、
前記第３ケースの前記収納部の周縁部と前記第２ケースの前記開口部の周縁部とが接近し合う第２接近部は、第２防滴部材によって密閉され、
前記第３ケースに設けられた前記収納部内には、その内部に収納された部品の電極が接続する接続電極が、前記第３ケースの側面部に設けられた小部屋に隔離された状態で配置され、
前記小部屋は接続基板によって密閉されており、前記接続電極は前記小部屋に対応する箇所の前記接続基板に電気的に接続されている
ことを特徴とする防滴構造。
【請求項３】
請求項１または２に記載の防滴構造において、前記部品は電池であり、前記収納部は前記電池を収納することを特徴とする防滴構造。
【請求項４】
請求項１〜３のいずれかに記載の防滴構造において、前記第１接近部は、前記第２ケースの前記開口部における前記周縁部の周囲に沿って形成された凹溝と、前記蓋体の前記周縁部に沿って形成されて前記凹溝に嵌合する枠状の凸部とを有し、前記第１防滴部材は、前記第２ケースの前記凹溝内に配置されて前記蓋体の前記凸部が圧接する第１パッキンであることを特徴とする防滴構造。
【請求項５】
請求項１〜４のいずれかに記載の防滴構造において、前記第２接近部は、前記収納部における前記周縁部の周囲に位置する前記第３ケースの外面と、前記第２ケースの前記開口部における前記周縁部の周囲に位置して前記第３ケースの前記外面に対面する前記第２ケースの内面とを有し、前記第２防滴部材は、前記第３ケースが前記第２ケースに締結部材によって締結された際に、前記第３ケースの前記外面と前記第２ケースの前記内面とに圧接する第２パッキンであることを特徴とする防滴構造。
【請求項６】
請求項１〜５のいずれかに記載された防滴構造を備えていることを特徴とする電子機器。
【発明の詳細な説明】
【技術分野】
【０００１】
この発明は、防滴構造および電子機器に関する。
【背景技術】
【０００２】
例えば、携帯電話機などの電子機器においては、特許文献１に記載されているように、機器ケースに設けられた電池収納部に電池パックを着脱可能に収納する電池収納構造を備えた構成のものが知られている。
【先行技術文献】
【特許文献】
【０００３】
【特許文献１】特開２００７−３１２２５５号公報
【０００４】
この種の電池収納構造は、機器ケースが上部ケース、下部ケース、中ケースをビス止めによって合体することにより構成され、この機器ケースの中ケースに電池パックを収納するための電池収納部が下部ケースの電池開口部から外部に露出するように構成されている。この場合、電池パックは、その外周面にリング装着溝が設けられ、このリング装着溝に装着された防水リングが電池収納部の内面に弾接することにより、電池収納部内に水滴の浸入を防ぐように構成されている。
【０００５】
また、この電池収納構造では、電池パックの防水リングが弾接する箇所よりも底部側に位置する電池収納部の内面に段差部が設けられている。これにより、この電池収納構造では、電池パックの防水リングよりも外部側に位置する隙間に水が溜まっている状態で、電池収納部内から電池パックを取り出した際に、水滴を段差部で一旦受け止めることにより、水滴が電池収納部の底部に流れ込み難くしている。
【発明の概要】
【発明が解決しようとする課題】
【０００６】
しかしながら、このような電池収納構造では、雨天のときに屋外で使用する際に、電池パックの防水リングが電池収納部の内面に弾接しているので、電池収納部内に雨水などの水滴が浸入するのを防ぐことができても、電池収納部が設けられた中ケースと電池開口部が設けられた下部ケースとの間に隙間があると、その隙間から機器ケース内に水滴が浸入して電子機器内の電子回路に悪影響を与える恐れがある。
【０００７】
また、雨天のときに屋外で電池交換する際においても、電池収納部が設けられた中ケースと電池開口部が設けられた下部ケースとの間に隙間があると、その隙間から機器ケース内に水滴が浸入する恐れがあるほか、電池パックを電池収納部内から取り出した際に、外側に溜まっていた水滴が電池収納部内に浸入し、この浸入した水滴を電池収納部の内面に設けられた段差部によって一旦受け止めても、その受け止めた水滴が電池収納部の底部に流れ込む恐れがある。
【０００８】
このような場合には、電池収納部内に接続電極やカード装着部が露出して設けられていると、段差部によって一旦受け止められていた水滴が電池収納部の底部に流れ込んだ際に、その水滴が接続電極やカード装着部を通して機器ケース内に浸入して電子機器内の電子回路に悪影響を与えるという問題がある。
【０００９】
この発明が解決しようとする課題は、水滴が機器ケース内に浸入するのを防ぐことである。
【課題を解決するための手段】
【００１０】
この発明は、第１ケースと、第２ケースと、前記第１ケースおよび前記第２ケースによって囲われた内部に配置された第３ケースとを有し、この第３ケースに部品を収納する収納部が前記第２ケースの開口部から外部に開放された状態で設けられ、この開放された前記収納部を蓋体が開閉可能に塞ぐ防滴構造において、
前記蓋体の周縁部と前記第２ケースの前記開口部の周縁部とが接近し合う第１接近部は、前記蓋体が前記開口部を塞いだ際に、第１防滴部材によって気密され、
前記第３ケースの前記収納部の周縁部と前記第２ケースの前記開口部の周縁部とが接近し合う第２接近部は、第２防滴部材によって密閉され、
前記第３ケースと前記第１ケースとの間には、メモリカードを搭載するカード装着部が、前記収納部の底部に対応して設けられており、前記収納部の底部には、前記メモリカードが挿入するカード挿入孔が、前記カード装着部に対応して設けられており、このカード挿入孔には、カード蓋が着脱可能に取り付けられ、
前記カード挿入孔に対する前記カード蓋の取付部分には、防滴部が設けられており、この防滴部は、前記カード蓋の周囲に沿って設けられて前記カード挿入孔の内周面に対面する凹溝と、この凹溝内に配置されて前記カード挿入孔の内周面に圧接するカード蓋パッキンとを有している
ことを特徴とする防滴構造である。
【発明の効果】
【００１１】
この発明によれば、水滴が機器ケース内に浸入するのを防ぐことができる。
【図面の簡単な説明】
【００１２】
【図１】この発明を携帯情報端末機に適用した一実施形態を示した正面図である。
【図２】図１に示された携帯情報端末機の裏面図である。
【図３】図２に示された携帯情報端末機のＡ−Ａ矢視における要部の拡大断面図である。
【図４】図２に示された携帯情報端末機のＢ−Ｂ矢視における要部の拡大断面図である。
【図５】図２に示された携帯情報端末機の電池蓋を開いた状態を示した要部の拡大斜視図である。
【図６】図５に示された携帯情報端末機の電池収納部に収納される電池パックを示した拡大斜視図である。
【図７】図５に示された携帯情報端末機の電池収納部の内部を示した要部の拡大平面図である。
【図８】図７に示された電池収納部のメモリ蓋を取り外した状態を示した要部の拡大平面図である。
【図９】図７に示された電池収納部内のメモリ蓋を示した拡大斜視図である。
【図１０】図５に示された携帯情報端末機のＣ−Ｃ矢視において、要部を破断して示した拡大斜視図である。
【発明を実施するための形態】
【００１３】
以下、図１〜図１０を参照して、この発明を携帯情報端末機に適用した一実施形態について説明する。
この携帯情報端末機は、図１および図２に示すように、機器ケース１を備えている。この機器ケース１は、図１〜図３に示すように、上部ケース２、下部ケース３、および中ケース４を備えている。
【００１４】
この機器ケース１は、図１および図２に示すように、全体が縦方向（図１では上下方向）に長いほぼ長方形の箱形状に形成されている。この場合、機器ケース１は、その手前側（図１では下部側）が幅の狭い握り部１ａに形成され、先端側（図１では上部側）が幅の広いプリンタ搭載部１ｂに形成された構成になっている。この機器ケース１の上部ケース２における握り部１ａには、入力表示部５とキー入力部６とが設けられている。
【００１５】
入力表示部５は、表示パネルの表面に透明なタッチパネルを配置したものであり、表示パネルに表示された情報が透明なタッチパネルを通して見え、この表示された情報を見ながらタッチパネルをタッチ操作することにより、情報が入力されるように構成されている。また、キー入力部６は、テンキー、ファンクションキーなどの各種のキーを備え、キー操作によって情報が入力されるように構成されている。
【００１６】
また、この機器ケース１の上部ケース２におけるプリンタ搭載部１ｂには、図１に示すように、プリンタ部７およびプリンタカバー８が設けられている。プリンタカバー８は、記録紙収納部（図示せず）を開閉自在に覆うものであり、記録紙収納部の上辺部に位置する縁に回転可能に取り付けられている。記録紙収納部は、ロール状の記録紙が回転可能な状態で収納されるように構成されている。
【００１７】
プリンタ部７は、図１に示すように、記録紙排出口７ａ内における握り部１ａ側に設けられた印字ヘッド（図示せず）と、記録紙排出口７ａ内における印字ヘッドと反対側に位置する箇所に設けられたプラテンローラ（図示せず）とを備えている。このプリンタ部７は、図示しないが、印字ヘッドとプラテンローラとの間に送り込まれた記録紙に印字ヘッドによって情報を印字するように構成されている。
【００１８】
さらに、この機器ケース１の手前側部（図１では下端部側）には、図１および図２に示すように、カードリーダ部９が設けられている。このカードリーダ部９は、磁気カードなどのメモリカードに記憶されている情報を読み取るカード挿入口９ａを備え、このカード挿入口９ａにメモリカードを挿入させてスライドさせることにより、メモリカードに記憶されている情報を読み取るように構成されている。
【００１９】
一方、機器ケース１の下部ケース３における握り部１ａには、図３〜図５に示すように、電池パック１１を着脱可能に収納する電池収納部１０が下部ケース３の下側（図４および図５では上側）に開放された状態で設けられている。電池パック１１は、充電池であり、プリンタ部７が記録紙に情報を印字する際に、プリンタ部７に十分な電流つまり大電流を供給するように構成されている。すなわち、この電池パック１１は、図６に示すように、長方形のほぼ箱形状に形成されている。この電池パック１１の一方の側面（図６では右側の側面）には、電池電極１１ａが露出して設けられている。
【００２０】
電池収納部１０は、図３および図４に示すように、下部ケース３内に設けられた中ケース４に設けられている。この場合、下部ケース３には、電池パック１１が挿入する電池開口部３ａが設けられている。中ケース４は、情報処理に必要な各種の電子部品が搭載された回路基板（図示せず）を取り付けるためのものであり、下部ケース３の電池開口部３ａに対応する箇所に電池収納部１０が凹部状に形成されている。
【００２１】
この電池収納部１０は、図３〜図５に示すように、電池蓋１５によって開閉可能に塞がれるように構成されている。この電池蓋１５は、機器ケース１の長手方向（図２では上下方向）と直交する方向に沿う下部ケース３の電池開口部３ａの縁部に設けられた支持軸１６に回転可能に取り付けられている。この電池蓋１５は、図５に示すように、電池収納部１０を塞いだ際に、下部ケース３の外形と連続する湾曲形状の蓋本体部１５ａと、この蓋本体部１５ａの内面に設けられた枠状部１５ｂとを備えている。
【００２２】
この電池蓋１５の周縁部と下部ケース３の電池開口部３ａの周縁部とが接近し合う第１接近部は、図３および図５に示すように、電池蓋１５が電池収納部１０を塞いだ際に、第１防滴部材である第１パッキン１３ａによって気密されるように構成されている。この場合、第１接近部は、電池収納部１０を開放する下部ケース３の電池開口部３ａにおける周縁部の周囲に沿って枠状に連続して形成された凹溝３ｂと、電池蓋１０の枠状部１５ｂの先端部に形成されて凹溝３ｂに嵌合する枠状の凸部１５ｃとを有している。
【００２３】
第１パッキン１３ａは、ゴムやエラストマなどの弾性材料からなる防水リングであり、図３に示すように、下部ケース３の凹溝３ｂ内に配置された状態で、電池蓋１５の凸部１５ｃが圧接するように構成されている。これにより、第１接近部は、電池蓋１５が電池収納部１０を塞いだ際に、第１パッキン１３ａが配置された下部ケース３の凹溝３ｂ内に電池蓋１０の枠状の凸部１５ｃが嵌合して第１パッキン１３ａを押し付けることにより、下部ケース３の電池開口部３ａを密閉するように構成されている。
【００２４】
また、中ケース４の電池収納部１０の周縁部と下部ケース３の電池開口部３ａの周縁部とが接近し合う第２接近部は、図３および図４に示すように、第２防滴部材である第２パッキン１３ｂによって密閉されるように構成されている。この第２接近部は、電池収納部１０の周縁部の周囲に位置する中ケース４の外面４ａと、下部ケース３の電池開口部３ａにおける周縁部の周囲に位置して中ケース４の外面４ａに対面する下部ケース３の内面３ｃとを有し、この中ケース４の外面４ａと下部ケース３の内面３ｃとの間に第２パッキン１３ｂが配置されるように構成されている。
【００２５】
第２パッキン１３ｂは、第１パッキン１３ａと同様、ゴムやエラストマなどの弾性材料からなる防水リングであり、図４に示すように、中ケース４が下部ケース３に締結部材であるビス１２によって締結された際に、中ケース４の外面４ａと下部ケース３の内面３ｃとに圧接するように構成されている。これにより、第２接近部は、中ケース４の外面４ａと下部ケース３の内面３ｃとの間に第２パッキン１３ｂが圧接して配置されることにより、中ケース４の電池収納部１０の周縁部と下部ケース３の電池開口部３ａの周縁部との間を密閉するように構成されている。
【００２６】
さらに、上部ケース２の周縁部と下部ケース３の周縁部とは、図３に示すように、第３パッキン１３ｃによって密閉されるように構成されている。すなわち、この第３パッキン１３ｃは、上部ケース２の周縁部に沿って設けられた凹溝内に配置され、この状態で下部ケース３の周縁部に沿って設けられて上部ケース２の凹溝内に嵌合する凸部が圧接することにより、上部ケース２の周縁部と下部ケース３の周縁部との間を密閉されるように構成されている。
【００２７】
ところで、この電池収納部１０の内面には、図３および図４に示すように、接続電極１４が設けられている。この接続電極１４は、電池パック１１の電池電極１１ａが接触して接続される板ばねであり、金属板の一部をＵ字状に折り曲げた構成になっている。また、この接続電極１４は、中ケース４の電池収納部１０の側面部に設けられた小部屋４ｂ内に隔離された状態で配置されている。
【００２８】
すなわち、小部屋４ｂは、図３に示すように、電池収納部１０の側面部にその外側に向けて突出して設けられ、この突出した外側に接続電極１４が接続される接続基板１４ａが配置され、この接続電極１４によって密閉されるように構成されている。この場合、接続電極１４は、そのＵ字状に折り曲げた部分が電池収納部１０内に向けて弾力的に突出した状態で、小部屋４ｂに対応する箇所の接続基板１４ａに取り付けられている。
【００２９】
この接続基板１４ａは、図３に示すように、小部屋４ｂの外側面に両面テープなどの接着材１４ｂによって接着されていることにより、小部屋４ｂを密閉するように構成されている。また、この接続基板１４ａは、接続端子１４が接続される箇所のみの配線が小部屋４ｂ内に露出するが、それ以外の配線は小部屋４ｂ内に露出しないように構成されている。
【００３０】
また、電池収納部１０は、図３および図７に示すように、その接続電極１４に電池パック１１の電池電極１１ａを対応させた状態で、電池収納部１０の内部に電池パック１１が挿入するように構成されている。この電池収納部１０は、挿入された電池パック１１を接続電極１４に向けてスライドさせることにより、電池パック１１の電池電極１１ａが電池収納部１０内に突出した接続電極１４に弾力的に接触して電池パック１１が電気的に接続されるように構成されている。
【００３１】
この場合、中ケース４と上部ケースとの間には、図３および図８に示すように、メモリカード３０を搭載するカード装着部３１が、電池収納部１０の底部に対応して設けられている。このメモリカード３０は、ＳＩＭカードなどの通信用のカードである。カード装着部３１は、メモリカード３０が着脱可能に装着するものであり、中ケース４と上部ケースとの間に配置されている。
【００３２】
また、電池収納部１０の底部には、図７〜図９に示すように、メモリカード３０が挿入するカード挿入孔３３が、カード装着部３１に対応して設けられている。このカード挿入孔３３には、カード蓋３４が着脱可能に取り付けられている。この場合、カード挿入孔３３に対するカード蓋３４の取付部分には、防滴部３５が設けられている。この防滴部３５は、カード蓋３４の周囲に沿って設けられてカード挿入孔３３の内周面に対面する凹溝３５ａと、この凹溝３５ａ内に配置されてカード挿入孔３３の内周面に圧接するカード蓋パッキン３５ｂとを有している。
【００３３】
これにより、電池収納部１０は、図７〜図９に示すように、その底部に設けられたカード挿入孔３３にカード蓋３４を装着した際に、カード蓋３４の凹溝３５ａ内に配置されて凹溝３５ａ内から突出したカード蓋パッキン３５ｂの一部がカード挿入孔３３の内周面に圧接することにより、カード挿入孔３３を密閉してカード装着部３１に水滴が浸入しないように構成されている。
【００３４】
ところで、この電池収納構造は、図５および図１０に示すように、電池収納部１０内に挿入された電池パック１１を電池収納部１０内に係脱可能に係止する係止部材１７と、電池収納部１０の接続電極１４と反対側に位置する内面とこれに対向する電池パック１１の側面との間に挿入して電池パック１１を接続電極１４に向けて押し付けるガイド押え部１８とを備えている。
【００３５】
係止部材１７は、図１０に示すように、電池収納部１０内に挿入された電池パック１１の電池電極１１ａを電池収納部１０内の接続電極１４に向けた状態で、電池パック１１をスライドさせることにより、電池パック１１を電池収納部１０内に係脱可能に係止するように構成されている。
【００３６】
すなわち、この係止部材１７は、図１０に示すように、電池パック１１のスライド方向に沿う電池収納部１０の内面に設けられて接続電極１４と反対側に向けて突出する係止突起部２０と、電池パック１１のスライド方向に沿う両側の各側面にそれぞれ設けられ、且つ電池パック１１を電池収納部１０内に挿入して接続電極１４に向けてスライドさせた際に、係止突起部２０が係合する係合溝２１とを備えている。
【００３７】
係止突起部２０は、図１０に示すように、電池パック１１のスライド方向に沿う電池収納部１０の内面に設けられた逆Ｌ字形状のフック部であり、上下方向に沿って設けられた支持片２０ａと、この支持片２０ａの端部に設けられて接続電極１４と反対側に向けて突出する突起片２０ｂとを備えている。
【００３８】
係合溝２１は、図１０に示すように、電池パック１１のスライド方向に沿う両側の各側面にそれぞれ設けられて係止突起部２０が係合する溝であり、電池パック１１を電池収納部１０内に挿入した際に係止突起部２０が挿入する挿入溝部２１ａと、電池パック１１を電池収納部１０内において接続電極１４に向けてスライドさせた際に係止突起部２０の突起片２０ｂが挿入して係合する係合溝部２１ｂとを備えている。
【００３９】
これにより、係止突起部２０は、図１０に示すように、電池収納部１０内に挿入された電池パック１１がスライドした際に、突起片２０ｂが係合溝２１の係合溝部２１ｂに挿入して係止されるように構成されている。このため、電池パック１１は、電池収納部１０内に収納されて係止突起部２０の突起片２０ｂが係合溝２１の係合溝部２１ｂに係止された際に、電池収納部１０内における電池パック１１の挿脱方向（図１０では上下方向）の位置が規制されるように構成されている。
【００４０】
一方、ガイド押え部１８は、図３〜図５に示すように、電池収納部１０内の接続電極１４と反対側に位置する電池蓋１５の端部に、電池収納部１０内に向けて突出した状態で設けられている。このガイド押え部１８は、電池蓋１５が電池収納部１０を塞ぐ際に、電池収納部１０の接続電極１４と反対側に位置する内面１０ａとこれに対向する電池パック１１の側面１１ｂとの間に徐々に挿入しながら電池パック１１を接続電極１４に向けて徐々に押圧する挿入押圧面部２２を有している。
【００４１】
この挿入押圧面部２２は、図３〜図５に示すように、電池蓋１５が電池収納部１０を塞ぐ際に、電池収納部１０の接続電極１４と反対側に位置する内面１０ａとこれに対向する電池パック１１の側面１１ｂとの間に徐々に挿入する挿入ガイド面部２２ａと、電池蓋１５が電池収納部１０を塞ぐ際に、電池パック１１を接続電極１４に向けて徐々に押す押圧面部２２ｂとを組み合わせた屈曲面形状に形成されている。
【００４２】
これにより、挿入押圧面部２２は、電池パック１１が収納された電池収納部１０を電池蓋１５がその支持軸１６を中心に回転して塞ぐ際に、電池収納部１０の接続電極１４と反対側に位置する内面１０ａとこれに対向する電池パック１１の側面１１ｂとの間に徐々に挿入して電池パック１１を接続電極１４に向けて押し付けるように構成されている。
【００４３】
また、このガイド押え部１８は、図５に示すように、電池蓋１５の端部に電池パック１１のスライド方向と直交する方向に沿って板状に形成されている。このため、このガイド押え部１８における電池パック１１に接触する内面と反対側に位置する外面には、補強リブ２３が設けられている。この補強リブ２３は、ガイド押え部１８の外面に格子形状に形成されている。これにより、補強リブ２３は、図５に示すように、板状に形成されたガイド押え部１８の強度を補強するように構成されている。
【００４４】
一方、電池収納部１０内には、図４および図７に示すように、その内部に挿入された電池パック１１をスライドさせて電池パック１１の電池電極１１ａを接続電極１４に接触させた際に、電池収納部１０の内部に出没可能に突出して電池パック１１のスライド方向の位置を規制する位置規制部材２４が、中ケース４のリブ４ｃによって囲われた状態で設けられている。この中ケース４のリブ４ｃの下部には、図４に示すように、防水シート２４ａが貼り付けられている。
【００４５】
位置規制部材２４は、図４に示すように、接続電極１４と反対側に位置する箇所の電池収納部１０の底部の下側に配置された位置規制釦２５と、この位置規制釦２５を電池収納部１０内に向けて出没可能に付勢する板ばね２６とを備えている。この場合、位置規制釦２５は、電池収納部１０の下側に上下方向に動作可能に配置された釦本体２５ａと、この釦本体２５ａに設けられて電池収納部１０の底部の挿入孔１０ｂ内に出没可能に挿入するロック部２５ｂとを備えている。
【００４６】
板ばね２６は、図４に示すように、その一端部２６ａが位置規制釦２５の釦本体２５ａの下面に弾接し、他端部２６ｂが中ケース４の下面に固定され、この状態で釦本体２５ａを弾力的に押し上げてロック部２５ｂを電池収納部１０内に押し出すように構成されている。これにより、位置規制部材２４は、電池収納部１０内に電池パック１１が挿入されると、電池パック１１によって位置規制釦２５のロック部２５ｂが板ばね２６のばね力に抗して電池収納部１０内から下側に向けて押し込まれるように構成されている。
【００４７】
また、この位置規制部材２４は、図４に示すように、電池収納部１０内に挿入された電池パック１１によって位置規制釦２５のロック部２５ｂが押された状態で、電池パック１１を接続電極１４に向けてスライドさせた際に、位置規制釦２５の釦本体２５ａが板ばね２６のばね力によって押し上げられて、ロック部２５ｂが電池収納部１０内に押し出されることにより、この押し出されたロック部２５ｂに電池パック１１の側面１１ｂ、つまり電池電極１１ａと反対側に位置する電池パック１１の側面１１ｂが当接し、電池パック１１のスライド方向の位置を規制するように構成されている。
【００４８】
なお、下部ケース３には、図２および図５に示すように、電池蓋１５を係脱可能にロックする一対の蓋ロック部材２７が設けられている。この一対の蓋ロック部材２７は、電池蓋１５の支持軸１６と反対側に位置する下部ケース３の電池開口部３ａにおける縁部の両側にそれぞれ回転可能に設けられたロック部２７ａと、このロック部２７ａに設けられてロック部２７ａを回転操作する操作レバー２７ｂとを備えている。
【００４９】
この場合、ロック部２７ａは、図５に示すように、そのほぼ半分が電池蓋１５の支持軸１６と反対側に位置する縁部に設けられた半円形状のロック溝２８内に回転可能に配置され、このロック溝２８内に設けられた係止鍔部２８ａを係脱可能に係止するように構成されている。また、このロック部２７ａは、操作レバー２７ｂの操作によって回転し、ロック溝２８内から離脱した際に、ロック溝２８内の係止鍔部２８ａに対するロックを解除するように構成されている。
【００５０】
これにより、この一対の蓋ロック部材２７は、図２に示すように、電池蓋１５が電池収納部１０を塞いで閉じた状態のときに、電池蓋１５のロック溝２８にロック部２７ａが対応し、この状態で操作レバー２７ｂを操作してロック部２７ａを回転させると、このロック部２７ａの一部がロック溝２８内に配置されてロック溝２８内の係止鍔部２８ａを下部ケース３に向けて押し付けることにより、電池蓋１５をロックするように構成されている。
【００５１】
次に、この携帯情報端末機における電池収納構造の作用について説明する。
電池パック１１を電池収納部１０に装着する場合には、まず、電池蓋１５を回転させて電池収納部１０を開く。このときには、一対の蓋ロック部材２７の操作レバー２７ｂを操作してロック部２７ａをロック溝２８内の係止鍔部２８ａから離脱させ、一対の蓋ロック部材２７による電池蓋１５のロックを解除する。これにより、電池蓋１５の支持軸１６を中心に電池蓋１５を回転させると、電池収納部１０が開く。
【００５２】
この状態で、電池パック１１を電池収納部１０内に挿入する。このときには、電池パック１１の電池電極１１ａを電池収納部１０の接続電極１４に対応させ、この状態で下部ケース３の電池開口部３ａから電池パック１１を電池収納部１０内に挿入する。すると、電池パック１１のスライド方向に沿う各側面に設けられた係合溝２１の挿入溝部２１ａ内に、電池収納部１０の内面に設けられた係止突起部２０が相対的に移動して挿入すると共に、電池パック１１によって電池収納部１０の底部から突出した位置規制部材２４の位置規制釦２５のロック部２５ｂが板ばね２６のばね力に抗して押し下げられる。
【００５３】
そして、電池パック１１をスライドさせて電池パック１１の電池電極１１ａを電池収納部１０内の接続電極１４に押し付ける。このときには、電池パック１１のスライドに伴って、電池収納部１０の係止突起部２０の突起片２０ｂが電池パック１１の係合溝２１の挿入溝部２１ａ内から係合溝２１の係合溝部２０ｂ内に相対的に移動して挿入する。これにより、電池パック１１は電池収納部１０に対する挿脱方向への移動、つまり電池収納部１０内における上下方向の位置が規制される。
【００５４】
また、このときには、電池パック１１のスライドによって位置規制部材２４の位置規制釦２５のロック部２５ｂから電池パック１１の側面１１ｂが離れるので、位置規制釦２５が板ばね２６のばね力によって押し上げられて、ロック部２５ｂが電池収納部１０内に突出する。この突出した位置規制釦２５のロック部２５ｂが電池パック１１の側面１１ｂに当接することにより、電池パック１１が電池収納部１０１内におけるスライド方向の移動が規制される。
【００５５】
これにより、電池パック１１は、電池収納部１０に対する挿脱方向（上下方向）およびスライド方向（左右方向）の動きが規制されて電池収納部１０内に仮固定される。この状態で、電池蓋１５を閉じて電池収納部１０を塞ぐ。このとき、電池蓋１５が支持軸１６を中心に回転すると、電池蓋１５に設けられたガイド押え部１８が電池収納部１０の接続電極１４と反対側に位置する内面１０ａとこれに対向する電池パック１１の側面１１ｂとの間に挿入して電池パック１１を接続電極１４に向けて押し付ける。
【００５６】
そして、電池収納部１０を塞いで閉じた電池蓋１５を蓋ロック部材２７によってロックする。このときには、電池蓋１５のロック溝２８内にロック部２７ａが対応して配置される。この状態で、操作レバー２７ｂを操作してロック部２７ａを回転させると、このロック部２７ａの一部がロック溝２８内に配置されてロック溝２８内の係止鍔部２８ａを下部ケース３に向けて押し付ける。これにより、電池蓋１５が下部ケース３に対してロックされる。
【００５７】
このように、電池収納部１０に電池パック１１を収納して電池蓋１５を閉じた状態で、屋外で使用する際には、雨天であっても、電池収納部１０内に雨水などの水滴が浸入することがなく、良好に使用することができる。すなわち、電池蓋１５を閉じて電池収納部１０を塞いだ際には、第１パッキン１３ａが配置された下部ケース３の凹溝３ｂ内に電池蓋１０の枠状の凸部１５ｃが嵌合して第１パッキン１３ａを押し付けることにより、下部ケース３の電池開口部３ａが密閉されているので、雨水などの水滴が電池収納部１０内に浸入するのを確実に防ぐことができる。
【００５８】
一方、電池収納部１０内から電池パック１１を取り出して交換する際には、蓋ロック部材２７による電池蓋１５のロックを解除して電池蓋１５を回転させて開く。このときには、電池蓋１５のガイド押え部１８が電池収納部１０の内面１０ａとこれに対向する電池パック１１の側面１１ｂとの間から抜き出されて、電池収納部１０の接続電極１４に対する電池パック１１の押し付けが解除される。
【００５９】
この状態では、電池収納部１０の底部に位置する位置規制部材２４の位置規制釦２５のロック部２５ｂが板ばね２６のばね力によって電池収納部１０内に押し出されていることにより、電池パック１１が電池収納部１０内におけるスライド方向の動きが規制されて電池収納部１０内に仮固定されている。このため、電池蓋１５が不用意に開いても、電池パック１１が電池収納部１０内から勝手に脱落することがない。
【００６０】
そして、板ばね２６のばね力に抗して位置規制釦２５のロック部２５ｂを押し下げると、位置規制釦２５のロック部２５ｂによる電池パック１１に対するスライド方向の位置規制が解除される。この状態で、電池パック１１を接続電極１４から離れる方向にスライドさせると、電池収納部１０の内面に設けられた係止突起部２０の突起片２０ｂが、電池パック１１の側面に設けられた係合溝２１の係合溝部２１ｂ内を相対的に移動して係合溝２１の挿入溝部２１ａ内に位置する。これにより、係止部材１７による電池パック１１の係止が解除され、電池パック１１を電池収納部１０内から取り出すことができる。
【００６１】
このように、電池蓋１５を開いて電池パック１１を交換する際に、雨水など水滴が電池収納部１０内に浸入しても、水滴が電池収納部１０内から機器ケース１内に浸入するのを防ぐことができる。この場合、電池蓋１５を開いて電池パック１１を電池収納部１０内から取り出した状態で、雨水などの水滴が電池収納部１０内に浸入しても、中ケース４に設けられた電池収納部１０の周縁部の外面４ａと下部ケース３の電池開口部３ａにおける周縁部の周囲に位置する内面３ｃとの間から機器ケース１内に雨水が浸入するのを防ぐことができる。
【００６２】
すなわち、電池収納部１０の周囲に位置する中ケース４の外面４ａと、下部ケース３の電池開口部３ａの周囲に位置して中ケース４の外面４ａに対面する下部ケース３の内面３ｃとの間には、第２パッキン１３ｂが配置されており、この第２パッキン１３ｂは、中ケース４が下部ケース３にビス１２によって締結された際に、中ケース４の周縁部の外面４ａと下部ケース３の周縁部の内面３ｃとに圧接していることにより、中ケース４の電池収納部１０の周縁部と下部ケース３の電池開口部３ａの周縁部との間を密閉することができ、これにより中ケース４の外面４ａと下部ケース３の内面３ｃとの間から機器ケース１内に雨水などの水滴が浸入するのを防ぐことができる。
【００６３】
また、この電池収納部１０の底部には、メモリカード３０が挿入するカード挿入孔３３が、カード装着部３１に対応して設けられているが、このカード挿入孔３３には、カード蓋３４が着脱可能に取り付けられていることにより、電池収納部１０内に浸入した水滴がカード挿入孔３３から機器ケース１内に浸入するのを防ぐことができ、これにより機器ケース１内に設けられたカード装着部３１やメモリカード３０が水滴による悪影響を受けることがない。
【００６４】
この場合、カード挿入孔３３に対するカード蓋３４の取付部分には、防滴部３５が設けられており、この防滴部３５は、カード蓋３４の周囲に沿って設けられてカード挿入孔３３の内周面に対面する凹溝３５ａと、この凹溝３５ａ内に配置されてカード挿入孔３３の内周面に圧接するカード蓋パッキン３５ｂとを有していることにより、カード挿入孔３３を密閉することができ、これによりカード装着部３１に水滴が浸入するのを確実に防ぐことができる。
【００６５】
すなわち、電池収納部１０は、その底部に設けられたカード挿入孔３３にカード蓋３４を装着した際に、カード蓋３４の凹溝３５ａ内に配置されて凹溝３５ａ内から突出したカード蓋パッキン３５ｂの一部がカード挿入孔３３の内周面に圧接することにより、カード挿入孔３３を確実に且つ良好に密閉することができ、これによりカード挿入孔３３からカード装着部３１に水滴が浸入するのを確実に防ぐことができる。
【００６６】
また、電池収納部１０の内面には、接続電極１４が設けられているが、この接続電極１４は、中ケース４の電池収納部１０の側面部に設けられた小部屋４ｂ内に隔離された状態で配置されていることにより、電池収納部１０内に浸入した水滴が接続電極１４によって機器ケース１に浸入するのを防ぐことができる。
【００６７】
この場合、小部屋４ｂは、電池収納部１０の側面部に電池収納部１０の外側に向けて突出して設けられ、その外側に接続電極１４が接続される接続基板１４ａが配置され、この接続基板１４ａによって密閉されていることにより、電池収納部１０内に浸入した雨水などの水滴が機器ケース１に浸入するのを確実に防ぐことができる。
【００６８】
さらに、電池収納部１０の底部には、位置規制部材２４の板ばね２６のばね力によって押し上げられた位置規制釦２５のロック部２５ｂが、電池収納部１０の挿入孔１０ｂ内に挿入されて突出しているが、位置規制釦２５の釦本体２５ａが板ばね２６のばね力によって電池収納部１０の底部の下面に弾接しているので、電池収納部１０内に浸入した水滴が電池収納部１０の挿入孔１０ｂから機器ケース１に浸入するのを防ぐことができる。
【００６９】
この場合、位置規制釦２５の釦本体２５ａが板ばね２６のばね力に抗して押し下げられて雨水などの水滴が仮に電池収納部１０の挿入孔１０ｂから侵入しても、電池収納部１０が位置する中ケース４に設けられて位置規制部材２４を囲うリブ４ｃに貼り付けられた防水シート２４ａによって雨水などの水滴が機器ケース１に浸入するのを確実に防ぐことができる。
【００７０】
このように、この携帯情報端末機における電池収納部１０の防滴構造によれば、上部ケース２と、下部ケース３と、これら上部ケース２および下部ケース３によって囲われた内部に配置された中ケース４とを有し、この中ケース４に電池パック１１を収納する電池収納部１０が下部ケース３の電池開口部３ａから外部に開放された状態で設けられ、この開放された電池収納部１０を電池蓋１５が開閉可能に塞ぐ電池収納部１０の防滴構造において、電池蓋１５の周縁部と下部ケース３の電池開口部３ａの周縁部とが接近し合う第１接近部が、電池蓋１５を閉じた際に第１パッキン１３ａによって気密され、中ケース４の電池収納部１０の周縁部と下部ケース３の電池開口部３ａの周縁部とが接近し合う第２接近部が、第２パッキン１３ｂによって密閉されているので、電池交換の際に水滴が機器ケース１内に浸入するのを防ぐことができる。
【００７１】
すなわち、この電池収納部１０の防滴構造では、雨天のときに屋外で使用する際に、電池蓋１５を閉じて下部ケース３の電池開口部３ａを塞ぐことにより、電池蓋１５の周縁部と下部ケース３の電池開口部３ａの周縁部との間の第１接近部から水滴が電池収納部１０内に浸入するのを確実に防ぐことができ、また雨天のときに屋外で電池交換する際に、電池蓋１５を開いて電池収納部１０内に水滴が浸入しても、この浸入した水滴が中ケース４の電池収納部１０の周縁部と下部ケース３の電池開口部３ａの周縁部との間の第２接近部から機器ケース１内に浸入するのを防ぐことができる。
【００７２】
この場合、第１接近部は、下部ケース３の電池開口部３ａにおける周縁部の周囲に沿って形成された凹溝３ｂと、電池蓋１５の周縁部に沿って形成されて凹溝３ｂに嵌合する枠状の凸部１５ｃとを有し、第１防滴部材である第１パッキン１３ａが、下部ケース３の凹溝３ｂ内に配置されて電池蓋１５の凸部１５ｃが圧接することにより、下部ケース３の電池開口部３ａを密閉することができ、これにより雨水が電池収納部１０内に浸入するのを確実に防ぐことができる。このため、電池収納部１０に電池パック１１を収納して電池蓋１５を閉じた状態で、屋外で使用する際に、雨天であっても電池収納部１０内に雨水が浸入するのを確実に防ぐことができるので、良好に使用することができる。
【００７３】
また、第２接近部は、電池収納部１０の周縁部の周囲に位置する中ケース４の外面４ａと、下部ケース３の電池開口部３ａにおける周縁部の周囲に位置して中ケース４の外面４ａに対面する下部ケース３の内面３ｃとを有し、中ケース４を下部ケース３に締結部材であるビス１２によって締結した際に、第２防滴部材である第２パッキン１３ｂが中ケース４の外面４ａと下部ケース３の内面３ｂとに圧接することにより、中ケース４の電池収納部１０と下部ケース３の電池開口部３ａとの間を密閉することができ、これにより中ケース４の外面４ａと下部ケース３の内面３ｃとの間から機器ケース１内に水滴が浸入するのを確実に防ぐことができる。
【００７４】
また、この電池収納部１０の防滴構造では、中ケース４と上部ケース２との間に、メモリカード３０を搭載するカード装着部３１が、電池収納部１０の底部に対応して設けられており、この電池収納部１０の底部に、メモリカード３０が挿入するカード挿入孔３３が、カード装着部３１に対応して設けられており、このカード挿入孔３３には、カード蓋３２が着脱可能に取り付けられていることにより、電池収納部１０内に浸入した水滴がカード挿入孔３３から機器ケース１内に浸入するのを防ぐことができ、これにより機器ケース１内に設けられたカード装着部３１やメモリカード３０が水滴による悪影響を受けないようにすることができる。
【００７５】
この場合、カード挿入孔３３に対するカード蓋３４の取付部分には、防滴部３５が設けられており、この防滴部３５は、カード蓋３４の周囲に沿って設けられてカード挿入孔３３の内周面に対面する凹溝３５ａと、この凹溝３５ａ内に配置されてカード挿入孔３３の内周面に圧接するカード蓋パッキン３５ｂとを有していることにより、カード挿入孔３３を密閉することができ、これにより電池収納部１０内に浸入した水滴がカード挿入孔３３からカード装着部３１に浸入するのを確実に防ぐことができる。
【００７６】
すなわち、電池収納部１０は、その底部に設けられたカード挿入孔３３にカード蓋３４を装着した際に、カード蓋３４の凹溝３５ａ内に配置されて凹溝３５ａ内から突出したカード蓋パッキン３５ｂの一部がカード挿入孔３３の内周面に圧接することにより、カード挿入孔３３を確実に且つ良好に密閉することができ、これによりカード挿入孔３３からカード装着部３１に水滴が浸入するのを確実に防ぐことができ、これにより機器ケース１内に設けられたカード装着部３１やメモリカード３０が水滴による悪影響を受けないようにすることができる。
【００７７】
さらに、この電池収納部１０の防滴構造では、中ケース４に設けられた電池収納部１０内に収納された電池パック１１の電池電極１１ａが接続する接続電極１４を有し、この接続電極１４が中ケース４の側面部に設けられた小部屋１４ａに隔離された状態で配置されていることにより、電池収納部１０内に浸入した水滴が接続電極１４によって機器ケース１に浸入するのを防ぐことができる。
【００７８】
この場合、小部屋４ｂは、電池収納部１０の側面部に電池収納部１０の外側に向けて突出して設けられ、その外側に接続電極１４が接続される接続基板１４ａが配置され、この接続基板１４ａによって密閉されていることにより、電池収納部１０内に浸入した水滴が機器ケース１に浸入するのを確実に防ぐことができる。すなわち、接続基板１４ａは、小部屋４ｂの外側面に両面テープなどの接着材１４ｂによって接着されていることにより、小部屋４ｂを確実に密閉することができる。
【００７９】
このように、この携帯情報端末機によれば、雨天のときに屋外で使用する際に、電池蓋１５を閉じて下部ケース３の電池開口部３ａを塞ぐことにより、電池蓋１５の周縁部と下部ケース３の電池開口部３ａの周縁部との間の第１接近部から水滴が電池収納部１０内に浸入するのを防ぐことができ、また雨天のときに屋外で電池交換する際に、電池蓋１５を開いて電池収納部１０内に水滴が浸入しても、この浸入した水滴が中ケース４の電池収納部１０の周縁部と下部ケース３の電池開口部３ａの周縁部との間の第２接近部から機器ケース１内に浸入するのを防ぐことができる。これにより、使い勝手の良い携帯情報端末機を提供することができる。
【００８０】
なお、上述した実施形態では、携帯情報端末機に適用した場合について述べたが、必ずしも携帯情報端末機に適用する必要はなく、例えば携帯電話機やノート型のパーソナルコンピュータなどの電子機器にも適用することができる。
【００８１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８２】
（付記）
請求項１に記載の発明は、第１ケースと、第２ケースと、前記第１ケースおよび前記第２ケースによって囲われた内部に配置された第３ケースとを有し、この第３ケースに電池を収納する電池収納部が前記第２ケースの電池開口部から外部に開放された状態で設けられ、この開放された前記電池収納部を電池蓋が開閉可能に塞ぐ電池収納部の防滴構造において、前記電池蓋の周縁部と前記第２ケースの前記電池開口部の周縁部とが接近し合う第１接近部は、前記電池蓋が前記電池開口部を塞いだ際に、第１防滴部材によって気密され、前記第３ケースの前記電池収納部の周縁部と前記第２ケースの前記電池開口部の周縁部とが接近し合う第２接近部は、第２防滴部材によって密閉されていることを特徴とする電池収納部の防滴構造である。
【００８３】
請求項２に記載の発明は、請求項１に記載の電池収納部の防滴構造において、前記第１接近部は、前記第２ケースの前記電池開口部における前記周縁部の周囲に沿って形成された凹溝と、前記電池蓋の前記周縁部に沿って形成されて前記凹溝に嵌合する枠状の凸部とを有し、前記第１防滴部材は、前記第２ケースの前記凹溝内に配置されて前記電池蓋の前記凸部が圧接する第１パッキンであることを特徴とする電池収納部の防滴構造である。
【００８４】
請求項３に記載の発明は、請求項１または請求項２に記載の電池収納部の防滴構造において、前記第２接近部は、前記電池収納部における前記周縁部の周囲に位置する前記第３ケースの外面と、前記第２ケースの前記電池開口部における前記周縁部の周囲に位置して前記第３ケースの前記外面に対面する前記第２ケースの内面とを有し、前記第２防滴部材は、前記第３ケースが前記第２ケースに締結部材によって締結された際に、前記第３ケースの前記外面と前記第２ケースの前記内面とに圧接する第２パッキンであることを特徴とする電池収納部の防滴構造である。
【００８５】
請求項４に記載の発明は、請求項１〜請求項３のいずれかに記載の電池収納部の防滴構造において、前記第３ケースと前記第１ケースとの間には、メモリカードを搭載するカード装着部が、前記電池収納部の底部に対応して設けられており、前記電池収納部の底部には、前記メモリカードが挿入するカード挿入孔が、前記カード装着部に対応して設けられており、このカード挿入孔には、カード蓋が着脱可能に取り付けられていることを特徴とする電池収納部の防滴構造である。
【００８６】
請求項５に記載の発明は、請求項４に記載の電池収納部の防滴構造において、前記カード挿入孔に対する前記カード蓋の取付部分には、防滴部が設けられており、この防滴部は、前記カード蓋の周囲に沿って設けられて前記カード挿入孔の内周面に対面する凹溝と、この凹溝内に配置されて前記カード挿入孔の内周面に圧接するカード蓋パッキンとを有していることを特徴とする電池収納部の防滴構造である。
【００８７】
請求項６に記載の発明は、請求項１〜請求項５のいずれかに記載の電池収納部の防滴構造において、前記第３ケースに設けられた前記電池収納部内には、その内部に収納された前記電池の電池電極が接続する接続電極が、前記第３ケースの側面部に設けられた小部屋に隔離された状態で配置されていることを特徴とする電池収納部の防滴構造である。
【００８８】
請求項７に記載の発明は、請求項６に記載の電池収納部の防滴構造において、前記小部屋は接続基板によって密閉されており、前記接続電極は前記小部屋に対応する箇所の前記接続基板に電気的に接続されていることを特徴とする電池収納部の防滴構造である。
【００８９】
請求項８に記載の発明は、請求項１に記載された電池収納部の防滴構造を備えていることを特徴とする電子機器である。
【符号の説明】
【００９０】
１  機器ケース
２  上部ケース
３  下部ケース
３ａ  電池開口部
３ｂ  電池開口部の凹溝
３ｃ  電池開口部の内面
４  中ケース
４ａ  中ケースの外面
４ｂ  小部屋
１０  電池収納部
１１  電池パック
１１ａ  電池電極
１２  ビス
１３ａ  第１パッキン
１３ｂ  第２パッキン
１４  接続電極
１４ａ  接続基板
１５  電池蓋
１５ａ  蓋本体部
１５ｂ  枠状部
１５ｃ  枠状の凸部
１６  支持軸
３０  メモリカード
３１  カード装着部
３３  カード挿入孔
３４  カード蓋
３５  防滴部
３５ａ  カード蓋の凹溝
３５ｂ  カード蓋パッキン
【図１】
0005962953.tif 000002
【図２】
0005962953.tif 000003
【図３】
0005962953.tif 000004
【図４】
0005962953.tif 000005
【図５】
0005962953.tif 000006
【図６】
0005962953.tif 000007
【図７】
0005962953.tif 000008
【図８】
0005962953.tif 000009
【図９】
0005962953.tif 000010
【図１０】
0005962953.tif 000011